(57)【要約】【課題】電池の消耗に起因する測定精度の低下を防止し得る絶縁抵抗計を提供する。【解決手段】電池電圧Ｖｂを昇圧して測定用電圧Ｖｍを生成する高電圧生成部１１と、測定用電圧Ｖｍの印加によって測定対象体２００に流れる電流Ｉｍに基づいて測定対象体２００の抵抗値を測定する測定部１３と、抵抗値が小さいほど大きな回動量で指針を回動させて抵抗値を指示する指示メータ１４とを備え、メジャースイッチ３３が操作された状態において電池電圧Ｖｂが所定値以下のときに、指示メータ１４に対して低抵抗値を示す位置まで指針を回動させて電池電圧Ｖｂの低下を報知する報知処理を実行する処理部としての定電流生成部１５、スイッチ１６ａ，１６ｂおよび接断制御部１７を備えている。【選択図】図１
2010008401.tif 000002
【特許請求の範囲】
【請求項１】
電池電圧を昇圧して測定用電圧を生成する電圧生成部と、前記測定用電圧の印加によって測定対象体に流れる電流に基づいて当該測定対象体の抵抗値を測定する測定部と、前記抵抗値が小さいほど大きな回動量で指針を回動させて当該抵抗値を指示する指示メータとを備えた絶縁抵抗計であって、
所定の指示操作がされた状態において前記電池電圧が所定値以下のときに、前記指示メータに対して低抵抗値を示す位置まで前記指針を回動させて前記電池電圧の低下を報知する報知処理を実行する処理部を備えている絶縁抵抗計。
【請求項２】
前記処理部は、前記所定の指示操作としての前記抵抗値の測定を指示する操作がされた状態において前記電池電圧が前記所定値以下のときに前記報知処理を実行する請求項１記載の絶縁抵抗計。
【請求項３】
前記測定部は、前記指示メータの前記指針を前記抵抗値に応じた回動量で回動させるための指示用電流を生成する第１電流生成部を備え、
前記処理部は、前記報知処理時において前記指針を回動させるための定電流を生成する第２電流生成部と、前記第１電流生成部と前記指示メータとの接断および前記第２電流生成部と当該指示メータとの接断を行う第１接断部と、前記第１接断部を制御する接断制御部とを備え、
前記接断制御部は、前記電池電圧を検出すると共に、前記所定の指示操作がされた状態において当該電池電圧の検出値が前記所定値を超えているときには前記第１接断部に対して前記第１電流生成部と前記指示メータとを接続させ、前記所定の指示操作がされた状態において前記電池電圧の検出値が前記所定値以下のときには前記報知処理として前記第１接断部に対して前記第２電流生成部と前記指示メータとを接続させる接断処理を実行する請求項１または２記載の絶縁抵抗計。
【請求項４】
前記電池電圧を示す電流を生成する第３電流生成部と、当該第３電流生成部と前記指示メータとの接断を行う第２接断部と、当該第２接断部を動作させるための操作部とを備え、
前記第２接断部は、前記操作部が操作されたときに前記第３電流生成部と前記指示メータとを接続する請求項１から３のいずれかに記載の絶縁抵抗計。
【発明の詳細な説明】
【技術分野】
【０００１】
本発明は、電池電圧を昇圧した測定用電圧の印加によって測定対象体に流れる電流に基づいて測定対象体の抵抗値を測定する絶縁抵抗計に関するものである。
【背景技術】
【０００２】
この種の絶縁抵抗計として、特開平９−１１９９５２号公報に開示された絶縁抵抗計が知られている。この絶縁抵抗計は、試験電圧出力回路、電流検出回路、対数増幅器および表示回路を備えて構成されている。この絶縁抵抗計では、試験電圧出力回路が、電池を電源として用いて測定対象体（試験回路）に印加する電圧を出力し、電流検出回路が、その電圧の印加によって測定対象体に流れる電流を検出する。また、対数増幅器が、上記電圧と上記電流とを入力して対数目盛に対応する絶縁抵抗値を出力し、表示回路が、対数増幅器から出力された絶縁抵抗値を表示する。
【先行技術文献】
【特許文献】
【０００３】
【特許文献１】特開平９−１１９９５２号公報（第２−３頁、第１図）
【発明の概要】
【発明が解決しようとする課題】
【０００４】
ところが、上記の絶縁抵抗計には、以下の問題点がある。すなわち、上記の絶縁抵抗計を含むこの種の絶縁抵抗計では、電池を電源として用いてその電池電圧を昇圧することにより、測定対象体に印加する電圧（測定用電圧）を生成している。このため、電池が消耗して電池電圧が低下した状態では、測定用電圧の電圧値が低下して、測定結果が不正確となるおそれがある。このような不都合を解消する手段として、電圧チェック用のスイッチを設けて、このスイッチが操作されたときに指示メータの指針が電池電圧の値を指示する機能を有した絶縁抵抗計が知られている。しかしながら、例えば、測定に先立ってこの機能を用いて電池電圧が低下していないことをチェック（確認）したとしても、チェック後に数多くの測定対象体に対する絶縁抵抗の測定を連続して行うときには、その一連の測定の途中で電池が消耗して上記と同様にして測定結果が不正確となるおそれがあるという問題点が依然として存在する。この場合、絶縁抵抗の測定中において電池電圧が低下したときにその旨を表示する構成が考えられる。しかしながら、デジタル式の表示器を備えているデジタル型の絶縁抵抗計では、電池電圧の低下を表示器に表示させることができるものの、アナログ型の絶縁抵抗計では、電池電圧の低下を表示するための専用の表示器を設ける必要があり、コストの上昇を招くという不都合が生じる。
【０００５】
本発明は、かかる問題点に鑑みてなされたものであり、電池の消耗に起因する測定精度の低下を防止し得る絶縁抵抗計を提供することを主目的とする。
【課題を解決するための手段】
【０００６】
上記目的を達成すべく請求項１記載の絶縁抵抗計は、電池電圧を昇圧して測定用電圧を生成する電圧生成部と、前記測定用電圧の印加によって測定対象体に流れる電流に基づいて当該測定対象体の抵抗値を測定する測定部と、前記抵抗値が小さいほど大きな回動量で指針を回動させて当該抵抗値を指示する指示メータとを備えた絶縁抵抗計であって、所定の指示操作がされた状態において前記電池電圧が所定値以下のときに、前記指示メータに対して低抵抗値を示す位置まで前記指針を回動させて前記電池電圧の低下を報知する報知処理を実行する処理部を備えている。
【０００７】
また、請求項２記載の絶縁抵抗計は、請求項１記載の絶縁抵抗計において、前記処理部は、前記所定の指示操作としての前記抵抗値の測定を指示する操作がされた状態において前記電池電圧が前記所定値以下のときに前記報知処理を実行する。
【０００８】
また、請求項３記載の絶縁抵抗計は、請求項１または２記載の絶縁抵抗計において、前記測定部は、前記指示メータの前記指針を前記抵抗値に応じた回動量で回動させるための指示用電流を生成する第１電流生成部を備え、前記処理部は、前記報知処理時において前記指針を回動させるための定電流を生成する第２電流生成部と、前記第１電流生成部と前記指示メータとの接断および前記第２電流生成部と当該指示メータとの接断を行う第１接断部と、前記第１接断部を制御する接断制御部とを備え、前記接断制御部は、前記電池電圧を検出すると共に、前記所定の指示操作がされた状態において当該電池電圧の検出値が前記所定値を超えているときには前記第１接断部に対して前記第１電流生成部と前記指示メータとを接続させ、前記所定の指示操作がされた状態において前記電池電圧の検出値が前記所定値以下のときには前記報知処理として前記第１接断部に対して前記第２電流生成部と前記指示メータとを接続させる接断処理を実行する。
【０００９】
また、請求項４記載の絶縁抵抗計は、請求項１から３のいずれかに記載の絶縁抵抗計において、前記電池電圧を示す電流を生成する第３電流生成部と、当該第３電流生成部と前記指示メータとの接断を行う第２接断部と、当該第２接断部を動作させるための操作部とを備え、前記第２接断部は、前記操作部が操作されたときに前記第３電流生成部と前記指示メータとを接続する。
【発明の効果】
【００１０】
請求項１記載の絶縁抵抗計によれば、所定の指示操作がされた状態において電池電圧が所定値以下のときに、指示メータに対して低抵抗値を示す位置まで指針を回動させることにより、例えば、数多くの測定対象体の抵抗値の測定や測定対象体の絶縁検査を連続して行っている途中で電池が消耗したとしても、指針が低抵抗値を示す位置まで回動することで、電池電圧の低下を報知する専用の表示器等を設けることなく、電池が消耗していることを確実に報知することができる。したがって、この絶縁抵抗計によれば、電池が消耗して電池電圧が低下しているにも拘わらず、そのまま測定や検査が続行されることによって測定精度が低下したり、検査結果が不正確となったりする事態を確実に防止することができる。
【００１１】
また、請求項２記載の絶縁抵抗計によれば、抵抗値の測定を指示する操作がされた状態において電池電圧が所定値以下のときに報知処理を実行することにより、一般的に抵抗値の測定を指示する操作時には指示メータが十分に注目されるため、他のスイッチ等の操作時にこの処理を行う構成と比較して、電池が消耗していることをより確実に報知することができる。
【００１２】
また、請求項３記載の絶縁抵抗計によれば、所定の指示操作がされた状態において電池電圧の検出値が所定値以下のときに報知処理として第１接断部に対して第２電流生成部と指示メータとを接続させる接断処理を実行する接断制御部を備えて処理部を構成したことにより、簡易な構成でありながら、電池電圧の低下を確実に報知することができる。
【００１３】
また、請求項４記載の絶縁抵抗計によれば、電池電圧を示す電流を生成する第３電流生成部と、操作部が操作されたときに第３電流生成部と指示メータとを接続する第２接断部とを備えたことにより、電池の消耗度合いを正確に把握させることができる。
【図面の簡単な説明】
【００１４】
【図１】絶縁抵抗計１の構成を示す構成図である。
【図２】指示メータ１４の動きを説明するための第１の説明図である。
【図３】指示メータ１４の動きを説明するための第２の説明図である。
【図４】指示メータ１４の動きを説明するための第３の説明図である。
【発明を実施するための形態】
【００１５】
以下、本発明に係る絶縁抵抗計の実施の形態について、添付図面を参照して説明する。
【００１６】
最初に、絶縁抵抗計１の構成について、図面を参照して説明する。図１に示す絶縁抵抗計１は、本発明に係る絶縁抵抗計の一例であって、測定対象体２００の抵抗値Ｒの測定（測定対象体２００に対する絶縁検査）が可能に構成されている。具体的には、絶縁抵抗計１は、高電圧生成部１１、電流検出部１２、測定部１３、指示メータ１４、定電流生成部１５（本発明における第２電流生成部）、スイッチ１６ａ，１６ｂ（本発明における第１接断部）、接断制御部１７、チェック用電流生成部１８（本発明における第３電流生成部）、スイッチ１９ａ，１９ｂ（本発明における第２接断部）およびチェックボタン２０（本発明における操作部）を備えて構成されている。なお、絶縁抵抗計１は、実際には、レンジ切替えスイッチ等を備えて複数のレンジでの抵抗値Ｒの測定が可能に構成されているが、発明の理解を容易とするために、これらの図示および説明を省略する。
【００１７】
高電圧生成部１１は、本発明における電圧生成部の一例であって、電池１００の電池電圧Ｖｂ（例えば、電池電圧が１．５Ｖの電池２本分の３Ｖ）を昇圧して測定用の高電圧（以下、「測定用電圧Ｖｍ」ともいう）を生成する。この場合、高電圧生成部１１によって生成された測定用電圧Ｖｍは、プローブ３２（図１参照）を介して測定対象体２００に印加される。電流検出部１２は、測定用電圧Ｖｍの印加によって測定対象体２００に流れる電流Ｉｍをプローブ３２を介して入力して検出する。測定部１３は、電流検出部１２によって検出された電流Ｉｍと測定用電圧Ｖｍとに基づいて測定対象体２００の抵抗値Ｒを測定する。また、測定部１３は、指示メータ１４に抵抗値Ｒを指示させる（指示メータ１４の指針４１を抵抗値Ｒに応じた回動量で回動させる）ための、抵抗値Ｒに応じた大きさの指示用電流Ｉｄを生成する指示用電流生成部３１（本発明における第１電流生成部）を備えて構成されている。この場合、指示用電流生成部３１は、抵抗値Ｒが大きいほど小さな指示用電流Ｉｄを生成し、抵抗値Ｒが小さいほど大きな指示用電流Ｉｄを生成する。また、指示用電流生成部３１は、基準電位（グランド電位）から吸い込む向きで流れる指示用電流Ｉｄを生成する。
【００１８】
指示メータ１４は、測定部１３の指示用電流生成部３１によって生成された指示用電流Ｉｄを入力して、指示用電流Ｉｄが大きいほど（抵抗値Ｒが小さいほど）大きな回動量で指針４１を回動させることにより、抵抗値Ｒを指示する（図２，３参照）。この場合、指示用電流Ｉｄは、図１に実線で示す経路Ａに沿って、基準電位（グランド電位）から指示用電流生成部３１に向かう向き（指示用電流生成部３１に吸い込まれる向き）に流れる。また、指示メータ１４のパネルには、図２〜４に示すように、抵抗値Ｒを示すスケール、および電圧の値を示すスケールが描かれている。定電流生成部１５、スイッチ１６ａ，１６ｂおよび接断制御部１７は、本発明における処理部を構成し、絶縁抵抗計１に対する所定の指示操作（例えば、後述するメジャースイッチ３３の操作）がされた状態において電池１００の電池電圧Ｖｂが基準値Ｖｓ（本発明における所定値（例えば、この例では２Ｖ））以下のときに、指示メータ１４に対して低抵抗値側に指針４１を回動させることによって電池電圧Ｖｂが低下している旨を報知する報知処理を実行する。具体的には、定電流生成部１５は、低抵抗値側（図２〜４における左側）に指針４１を回動させるための定電流Ｉｓを生成する。この場合、定電流Ｉｓの値は、指針４１が低抵抗値側に十分大きく回動する（一例として、絶縁不良を意味する低抵抗値（代表的な値としての０Ω）を示す位置まで回動する）ように十分に大きな値に規定されている。また、定電流生成部１５は、基準電位（グランド電位）に向かう向きで流れる定電流Ｉｓを生成する。
【００１９】
スイッチ１６ａ，１６ｂは、互いに連動作動して、測定部１３の指示用電流生成部３１と指示メータ１４との接断（接続および切断）、並びに定電流生成部１５と指示メータ１４との接断を行う。接断制御部１７は、スイッチ１６ａ，１６ｂを制御する。この場合、接断制御部１７は、電池１００の電池電圧Ｖｂを検出すると共に、メジャースイッチ３３の操作がされた状態において電池電圧Ｖｂの検出値が基準値Ｖｓを超えているときにはスイッチ１６ａ，１６ｂに対して指示用電流生成部３１と指示メータ１４とを接続させ、電池電圧Ｖｂの検出値が基準値Ｖｓ以下のときにはスイッチ１６ａ，１６ｂに対して定電流生成部１５と指示メータ１４とを接続させる接断処理を上記した報知処理として実行する。
【００２０】
チェック用電流生成部１８は、電池１００の電池電圧Ｖｂの高さに応じた（電池電圧Ｖｂが高いほど大きく、低いほど小さい）チェック用電流Ｉｃを生成する。この場合、チェック用電流生成部１８は、基準電位（グランド電位）に向かう向きで流れるチェック用電流Ｉｃを生成する。スイッチ１９ａ，１９ｂは、互いに連動作動して、チェック用電流生成部１８と指示メータ１４との接断を行う。チェックボタン２０は、スイッチ１９ａ，１９ｂを動作させるための操作ボタンであって、操作されたときに、スイッチ１９ａ，１９ｂに対してチェック用電流生成部１８と指示メータ１４とを接続させる。
【００２１】
次に、絶縁抵抗計１を用いて、測定対象体２００の抵抗値Ｒの測定（測定対象体２００に対する絶縁検査）を行う測定方法について、図面を参照して説明する。なお、初期状態においては、図１に実線で示すように、スイッチ１６ａ，１６ｂの可動側の２つの接点のうちの右側の接点と固定側の接点とが接続され、スイッチ１９ａ，１９ｂの可動側の２つの接点のうちの左側の接点と固定側の接点とが接続されているものとする。
【００２２】
この絶縁抵抗計１では、非使用状態（メジャースイッチ３３が操作されていない状態）においては、高電圧生成部１１に対する電池１００の電池電圧Ｖｂの供給が停止している。このため、この状態では、電流検出部１２による電流Ｉｍの検出、および指示用電流生成部３１による指示用電流Ｉｄの生成が行われない。また、この絶縁抵抗計１では、指示用電流Ｉｄが生成されていない状態では、指示メータ１４の指針４１が無限大の抵抗値を示す位置（図２における右側）に位置している。
【００２３】
測定対象体２００の抵抗値Ｒを測定するときには、最初にメジャースイッチ３３をオン操作（本発明における、所定の指示操作、および抵抗値の測定を指示する操作）する。この際に、電池１００と接断制御部１７とが接続され、これに伴い、接断制御部１７が、電池電圧Ｖｂを検出する。この場合、電池１００が消耗しておらず、電池電圧Ｖｂの検出値が基準値Ｖｓを超えているときには、接断制御部１７は、スイッチ１６ａ，１６ｂに対して指示用電流生成部３１と指示メータ１４とを接続させた状態（上記した初期状態）を維持させる。また、メジャースイッチ３３のオン操作に伴って電池１００と定電流生成部１５とが接続され、定電流生成部１５が定電流Ｉｓを生成する。
【００２４】
また、メジャースイッチ３３のオン操作に伴って電池１００の電池電圧Ｖｂが高電圧生成部１１に供給され、高電圧生成部１１が電池電圧Ｖｂを昇圧して測定用電圧Ｖｍを生成する。次いで、測定対象体２００の両端部にプローブ３２，３２を接触させる。この際に、電流検出部１２が、測定用電圧Ｖｍの印加によって測定対象体２００に流れる電流Ｉｍを検出し、測定部１３が、電流検出部１２によって検出された電流Ｉｍと測定用電圧Ｖｍとに基づいて測定対象体２００の抵抗値Ｒを測定すると共に、その抵抗値Ｒに応じた大きさの指示用電流Ｉｄを生成する。
【００２５】
ここで、この状態では、図１に示すように、スイッチ１６ａ，１９ａによって測定部１３の指示用電流生成部３１と指示メータ１４の一方の電極とが接続され、スイッチ１６ｂ，１９ｂによって指示メータ１４の他方の電極と基準電位（グランド電位）とが接続されている。このため、指示用電流生成部３１によって生成された指示用電流Ｉｄが、同図に実線で示す経路Ａに沿って、基準電位から指示用電流生成部３１に向かう向きに流れる結果、指示メータ１４が指示用電流Ｉｄの大きさに応じた回動量で指針４１を回動させる。続いて、指針４１が指示する値を読み取る。この場合、上記したように、測定部１３は、抵抗値Ｒが大きいほど小さな指示用電流Ｉｄを生成し、抵抗値Ｒが小さいほど大きな指示用電流Ｉｄを生成する。このため、測定対象体２００の絶縁状態が良好で、その抵抗値Ｒが大きいときには、図２に示すように、指示メータ１４の指針４１が同図における右側に位置し、測定対象体２００の絶縁状態が良好ではなく、その抵抗値Ｒが小さいときには、図３に示すように、指示メータ１４の指針４１が同図における左側（低抵抗値側）に回動する。
【００２６】
次に、数多く測定対象体２００の抵抗を連続して測定する際には、メジャースイッチ３３をオン状態に押圧操作するかオン状態にロックしたまま、各測定対象体２００の両端部にプローブ３２，３２を次々に接触させ、その都度、指示メータ１４における指針４１が指示する値を読み取る。ここで、例えば、このように連続して測定を行っている途中で電池１００が消耗して、電池電圧Ｖｂの検出値が基準値Ｖｓ以下となったときには、接断制御部１７が、スイッチ１６ａ，１６ｂに対して定電流生成部１５と指示メータ１４とを接続させる接断処理を実行する。
【００２７】
この場合、接断制御部１７の接断処理により、図１に破線で示すように、スイッチ１６ａ，１６ｂの可動側の２つの接点のうちの左側の接点と固定側の接点とが接続される。これにより、同図に示すように、スイッチ１６ｂ，１９ｂによって定電流生成部１５と指示メータ１４の他方の電極とが接続され、スイッチ１６ａ，１９ａによって指示メータ１４の一方の電極と基準電位（グランド電位）とが接続される。このため、定電流生成部１５によって生成された定電流Ｉｓが、同図に破線で示す経路Ｂに沿って、定電流生成部１５から基準電位に向かう向きに流れる結果、指示メータ１４が定電流Ｉｓの大きさに応じた回動量で指針４１を回動させる。この場合、定電流Ｉｓが十分に大きな値に規定されているため、上記の接断処理を実行した際に、図４に示すように、指示メータ１４の指針４１が最大の振れ量の一例として０Ω（低抵抗値を指示する一例）を示す位置まで大きく回動する（振れる）。このため、通常の絶縁検査においては発生し難い指針４１の大きな動き（回動）により、測定者に対して、違和感を与えて注意を十分に促すことができる結果、電池１００が消耗していることが確実に報知される。
【００２８】
次いで、電池１００の消耗を確認する際には、チェックボタン２０を操作する。この場合、チェックボタン２０の操作に伴ってスイッチ１９ａ，１９ｂがチェック用電流生成部１８と指示メータ１４とを接続する。具体的には、チェックボタン２０が操作されたときには、図１に破線で示すように、スイッチ１９ａ，１９ｂの可動側の２つの接点のうちの右側の接点と固定側の接点とが接続される。これにより、同図に示すように、スイッチ１９ｂによってチェック用電流生成部１８と指示メータ１４の他方の電極とが接続され、スイッチ１９ａによって指示メータ１４の一方の電極と基準電位（グランド電位）とが接続される。このため、チェック用電流生成部１８によって生成されたチェック用電流Ｉｃが、同図に一点鎖線で示す経路Ｃに沿って、チェック用電流生成部１８から基準電位に向かう向きに流れる結果、指示メータ１４がチェック用電流Ｉｃの大きさに応じた回動量、つまり電池電圧Ｖｂの高さに応じた回動量で指針４１を回動させる。このため、指針４１が指示する電圧値（図２において、最も下側の表示レンジで示す値の１／１００の電圧値）を読み取ることで、電池１００の消耗度合いを正確に把握することができる。
【００２９】
このように、この絶縁抵抗計１によれば、所定の指示操作がされた状態において電池電圧Ｖｂが基準値Ｖｓ以下のときに、指示メータ１４に対して指針４１を低抵抗値を示す位置まで回動させることにより、例えば、数多くの測定対象体２００の抵抗値Ｒの測定（絶縁検査）を連続して行っている途中で電池１００が消耗したとしても、指針４１が低抵抗値を示す位置まで回動することで、電池電圧Ｖｂの低下を報知する専用の表示器等を設けることなく、電池１００が消耗していることを確実に報知することができる。したがって、この絶縁抵抗計１によれば、電池１００が消耗して電池電圧Ｖｂが低下しているにも拘わらず、そのまま測定や検査が続行されることによって測定精度が低下したり、検査結果が不正確となったりする事態を確実に防止することができる。
【００３０】
また、この絶縁抵抗計１によれば、メジャースイッチ３３が操作された状態において電池電圧Ｖｂが基準値Ｖｓ以下のときに、指示メータ１４に対して低抵抗値を示す位置まで指針４１を回動させることにより、一般的にメジャースイッチ３３の操作時には指示メータ１４が十分に注目されるため、他のスイッチ等の操作時にこの処理を行う構成と比較して、電池１００が消耗していることをより確実に報知することができる。
【００３１】
また、この絶縁抵抗計１によれば、メジャースイッチ３３が操作された状態において電池電圧Ｖｂの検出値が基準値Ｖｓ以下のときにスイッチ１６ａ，１６ｂに対して定電流生成部１５と指示メータ１４とを接続させる接断処理を報知処理として実行する接断制御部１７を備えて処理部を構成したことにより、簡易な構成でありながら、電池１００の電池電圧Ｖｂの低下を確実に報知することができる。
【００３２】
また、この絶縁抵抗計１によれば、電池電圧Ｖｂの高さに応じたチェック用電流Ｉｃを生成するチェック用電流生成部１８と、チェックボタン２０が操作されたときにチェック用電流生成部１８と指示メータ１４とを接続するスイッチ１９ａ，１９ｂとを備えたことにより、電池１００の消耗度合いを正確に把握させることができる。
【００３３】
なお、本発明は、上記の構成に限定されない。例えば、非使用時（および抵抗値Ｒが大きい（無限大）のとき）において指針４１が右側に位置し、抵抗値Ｒが小さいときに指針４１が左側に回動する指示メータ１４を例に挙げて説明したが、これとは逆向きに指針４１が回動する構成、つまり、非使用時（および抵抗値Ｒが大きい（無限大）のとき）において指針４１が左側に位置し、抵抗値Ｒが小さいときに指針４１が右側に回動する指示メータの構成を採用することもできる。また、メジャースイッチ３３が操作されたときに接断処理（報知処理）を実行する例について上記したが、レンジ切替えスイッチの操作等の他の操作がされたときなど任意のキーやスイッチの操作時に接断処理（報知処理）を実行する構成を採用することもできる。また、電池電圧Ｖｂが３Ｖの電池１００を用いる例について説明したが、任意の電池電圧の電池を用いることができ、その際に、本発明における「所定値」をその電池電圧に応じて適宜規定することができる。
【符号の説明】
【００３４】
１  絶縁抵抗計
１１  高電圧生成部
１３  測定部
１４  指示メータ
１５  定電流生成部
１６ａ，１６ｂ，１９ａ，１９ｂ  スイッチ
１７  接断制御部
１８  チェック用電流生成部
２０  チェックボタン
３１  指示用電流生成部
３３  メジャースイッチ
４１  指針
１００  電池
２００  測定対象体
Ｉｍ  電流
Ｉｃ  チェック用電流
Ｒ  測定値
Ｖｂ  電池電圧
Ｖｍ  測定用電圧
Ｖｓ  基準値
【図１】
2010008401.tif 000003
【図２】
2010008401.tif 000004
【図３】
2010008401.tif 000005
【図４】
2010008401.tif 000006